(57)【要約】【課題】固定式ガイドレールクリップで支持されていたガイドレールをスライド可能に支持するガイドレール支持構造への工事期間を短縮させることができるガイドレール支持構造を提供する。【解決手段】実施の形態によるガイドレール支持構造４０は、レールブラケット２２と、ブラケットピース４１と、スライディング式ガイドレールクリップ４２と、を備えている。このうち、レールブラケット２２は、ガイドレール２１の背面２１ａに当接している。また、ブラケットピース４１は、レールブラケット２２に取り付けられるとともにガイドレール２１の背面２１ａに当接している。さらに、スライディング式ガイドレールクリップ４２は、ブラケットピース４１との間にガイドレール２１をスライド可能に挟持している。【選択図】図４
2017109852.tif 000002
【特許請求の範囲】
【請求項１】
エレベータの昇降路内に上下方向に延びるガイドレールを支持するガイドレール支持構造であって、前記昇降路を画定する昇降路壁に固定されたレールブラケットであって、前記ガイドレールの背面に当接するレールブラケットと、前記レールブラケットに当接して設けられたブラケットピースであって、前記レールブラケットに取り付けられるとともに前記ガイドレールの背面に当接するブラケットピースと、前記ブラケットピースに取り付けられたスライディング式ガイドレールクリップであって、前記ブラケットピースとの間に前記ガイドレールをスライド可能に挟持するスライディング式ガイドレールクリップと、を備えたことを特徴とするガイドレール支持構造。
【請求項２】
前記ブラケットピースを前記レールブラケットに取り付けたボルトを更に備え、前記ボルトは、前記レールブラケットおよび前記ブラケットピースを貫通するボルト胴体部と、前記ボルト胴体部に連結され、前記レールブラケットの前面に当接するボルト頭部と、を有し、前記ボルトの前記ボルト頭部と前記レールブラケットとの間に、介在部材が介在されていることを特徴とする請求項１に記載のガイドレール支持構造。
【請求項３】
前記ブラケットピースは、前記レールブラケットの背面に当接する固定側部と、前記固定側部より上方に設けられ、前記ガイドレールの背面に当接するガイドレール支持部と、を有していることを特徴とする請求項１または２に記載のガイドレール支持構造。
【請求項４】
前記レールブラケットの前記ガイドレールの側の面および前記ブラケットピースの前記ガイドレール支持部の前記ガイドレールの側の面に、滑動部材が設けられていることを特徴とする請求項３に記載のガイドレール支持構造。
【請求項５】
エレベータの昇降路内に上下方向に延びるガイドレールを支持するガイドレール支持構造であって、前記昇降路を画定する昇降路壁に固定されたレールブラケットであって、前記ガイドレールの背面に当接するレールブラケットと、前記レールブラケットに取り付けられた固定式ガイドレールクリップであって、前記ガイドレールを支持する固定式ガイドレールクリップと、前記レールブラケットの前記ガイドレールの側の面に設けられた滑動部材と、を備えたことを特徴とするガイドレール支持構造。
【請求項６】
エレベータの昇降路内に上下方向に延びるガイドレールを支持するガイドレール支持構造のリニューアル方法であって、前記昇降路を画定する昇降路壁に固定されたレールブラケットから、前記ガイドレールを支持していた固定式ガイドレールクリップを取り外す工程と、前記レールブラケットより上方にブラケットピースを配置して前記レールブラケットに取り付けて、前記ガイドレールの背面に当接させる工程と、前記ブラケットピースにスライディング式ガイドレールクリップを取り付けて、前記ブラケットピースと前記スライディング式ガイドレールクリップとの間に前記ガイドレールをスライド可能に挟持させる工程と、を備えたことを特徴とするガイドレール支持構造のリニューアル方法。
【発明の詳細な説明】
【技術分野】
【０００１】
本発明の実施の形態は、ガイドレール支持構造およびガイドレール支持構造のリニューアル方法に関する。
【背景技術】
【０００２】
エレベータの乗りかごや釣合錘の昇降を案内するために、昇降路内にガイドレールが設置されている。このようなガイドレールを支持するために、昇降路壁に固定されたレールブラケットに、固定式ガイドレールクリップを用いてガイドレールを支持するガイドレール支持構造が知られている。この場合、ガイドレールは、レールブラケットに対して上下方向にスライドし難く支持される。
【０００３】
エレベータのリニューアル時、この固定式ガイドレールクリップを用いたガイドレール支持構造を、スライディング式ガイドレールクリップを用いたガイドレール支持構造に変更する場合がある。この場合、ガイドレールは、リニューアル後、レールブラケットにスライド可能に支持される。このようなリニューアル作業では、既設の固定式ガイドレールクリップに適合した既設のレールブラケットが解体されて廃棄され、新設のスライディング式ガイドレールクリップに適合した新設のレールブラケットが新たに設置される。
【先行技術文献】
【特許文献】
【０００４】
【特許文献１】特開２０１３−２５２９２６号公報
【発明の概要】
【発明が解決しようとする課題】
【０００５】
しかしながら、このようなリニューアル作業では、既設のレールブラケットの解体および廃棄に、多大な作業時間が費やされる。このため、工事期間が長くなり、その間、エレベータの運行が停止する。このため、エレベータ利用者および建物所有者の利便性が損なわれる。
【０００６】
本発明は、このような点を考慮してなされたものであり、固定式ガイドレールクリップで支持されていたガイドレールをスライド可能に支持するガイドレール支持構造への工事期間を短縮させることができるガイドレール支持構造およびガイドレール支持構造のリニューアル方法を提供することを目的とする。
【課題を解決するための手段】
【０００７】
実施の形態によるガイドレール支持構造は、エレベータの昇降路内に上下方向に延びるガイドレールを支持する。このガイドレール支持構造は、昇降路を画定する昇降路壁に固定されたレールブラケットと、レールブラケットに当接して設けられたブラケットピースと、ブラケットピースに取り付けられたスライディング式ガイドレールクリップと、を備えている。このうち、レールブラケットは、ガイドレールの背面に当接している。また、ブラケットピースは、レールブラケットに取り付けられるとともにガイドレールの背面に当接している。さらに、スライディング式ガイドレールクリップは、ブラケットピースとの間にガイドレールをスライド可能に挟持している。
【０００８】
また、実施の形態によるガイドレール支持構造は、エレベータの昇降路内に上下方向に延びるガイドレールを支持する。このガイドレール支持構造は、昇降路を画定する昇降路壁に固定されたレールブラケットと、レールブラケットに取り付けられた固定式ガイドレールクリップと、レールブラケットのガイドレールの側の面に設けられた滑動部材と、を備えている。このうち、レールブラケットは、ガイドレールの背面に当接している。また、固定式ガイドレールクリップは、ガイドレールを支持している。
【０００９】
また、実施の形態によるガイドレール支持構造のリニューアル方法は、エレベータの昇降路内に上下方向に延びるガイドレールを支持するガイドレール支持構造をリニューアルする。このリニューアル方法は、昇降路を画定する昇降路壁に固定されたレールブラケットから、ガイドレールを支持していた固定式ガイドレールクリップを取り外す工程を備えている。また、このリニューアル方法は、レールブラケットより上方にブラケットピースを配置してレールブラケットに取り付けて、ガイドレールの背面に当接させる工程を備えている。さらに、このリニューアル方法は、ブラケットピースにスライディング式ガイドレールクリップを取り付けて、ブラケットピースとスライディング式ガイドレールクリップとの間にガイドレールをスライド可能に挟持させる工程を備えている。
【図面の簡単な説明】
【００１０】
【図１】図１は、第１の実施の形態におけるエレベータ装置の全体概略構成の一例を示す斜視図である。
【図２】図２は、第１の実施の形態における固定式のガイドレール支持構造の概略構成を示す側面図である。
【図３】図３は、図２のＡ−Ａ線断面図であって、反時計回りに９０°回転させた断面図であり、固定式ガイドレールクリップの取り付け方法を説明する図である。
【図４】図４は、第１の実施の形態におけるスライディング式のガイドレール支持構造の概略構成を示す側面図である。
【図５】図５は、図４のガイドレール支持構造を示す正面図である。
【図６】図６は、図４のＢ−Ｂ線断面図であって、反時計回りに９０°回転させた断面図である。
【図７】図７（ａ）は、図４のブラケットピースを示す側面図であり、図７（ｂ）は、図７（ａ）の正面図である。
【図８Ａ】図８Ａは、第１の実施の形態におけるガイドレール支持構造のリニューアル方法の一工程を示す図である。
【図８Ｂ】図８Ｂは、図８ＡのＣ−Ｃ線断面図であって、反時計回りに９０°回転させた断面図であり、スライディング式ガイドレールクリップの取り付け方法を説明する図である。
【図８Ｃ】図８Ｃは、第１の実施の形態におけるガイドレール支持構造のリニューアル方法の他の一工程を示す図である。
【図９】図９は、図４の変形例を示す図である。
【図１０】図１０は、図９のＤ−Ｄ線断面図であって、反時計回りに９０°回転させた断面図である。
【図１１】図１１は、第２の実施の形態におけるスライディング式のガイドレール支持構造の概略構成を示す側面図である。
【図１２】図１２は、図１１のＥ−Ｅ線断面図であって、反時計回りに９０°回転させた断面図である。
【発明を実施するための形態】
【００１１】
以下、図面を参照して本発明の実施の形態について説明する。
【００１２】
（第１の実施の形態）
図１乃至図１０を用いて、第１の実施の形態におけるガイドレール支持構造およびガイドレール支持構造のリニューアル方法について説明する。ここでは、まず、本実施の形態によるガイドレール支持構造を備えるエレベータ装置について説明する。
【００１３】
図１に示すように、エレベータ装置１は、昇降路２内を昇降可能な乗りかご３と、乗りかご３にメインロープ４を介して連結された釣合錘５（カウンターウェイト）と、機械室６に設けられ、メインロープ４を介して乗りかご３および釣合錘５を昇降させる巻上機７（昇降駆動部）と、を備えている。このような構成において、制御装置（図示せず）が巻上機７を制御することにより、巻上機７がメインロープ４を巻き上げて乗りかご３および釣合錘５が昇降する。これにより、乗りかご３は、エレベータ装置１が設置された建物の複数の階床にそれぞれ設けられた乗場間を昇降する。
【００１４】
ところで、昇降路２内には、上下方向に延びる一対のかごガイドレール８および一対の錘ガイドレール９が設けられている。
【００１５】
このうちかごガイドレール８は、乗りかご３の昇降を案内する。すなわち、乗りかご３は、かごガイドレール８を転動するかごローラガイド１０を有しており、これにより、乗りかご３は、かごガイドレール８に沿って昇降するようになっている。
【００１６】
錘ガイドレール９は、釣合錘５の昇降を案内する。すなわち、図１に示すように、釣合錘５は、錘ガイドレール９を転動する錘ローラガイド１１を有しており、これにより、釣合錘５は、錘ガイドレール９に沿って昇降するようになっている。
【００１７】
これらのかごガイドレール８および錘ガイドレール９は、ガイドレール支持構造によって昇降路壁１２に支持されている。
【００１８】
次に、本実施の形態によるガイドレール支持構造について説明する。なお、以下では、かごガイドレール８および錘ガイドレール９を総称して、単にガイドレール２１と記す。
【００１９】
まず、図２および図３を用いて、本実施の形態による固定式のガイドレール支持構造２０について説明する。
【００２０】
図２および図３に示すように、ガイドレール支持構造２０は、昇降路２を画定する昇降路壁１２に固定されたレールブラケット２２と、レールブラケット２２に取り付けられ、ガイドレール２１を支持する一対の固定式ガイドレールクリップ２３と、を備えている。このうち、レールブラケット２２は、Ｌ字状に形成されており、レールブラケット２２の前面２２ａが、ガイドレール２１の背面２１ａに（直接的に）当接している。また、レールブラケット２２は、図示しないボルト等により、昇降路壁１２に設けられた建築梁１３等に取り付けられている。
【００２１】
このようなガイドレール支持構造２０は、上下方向に互いに異なる位置に複数配置されている。これら複数のガイドレール支持構造２０によって、ガイドレール２１は昇降路壁１２に支持されている。
【００２２】
一対の固定式ガイドレールクリップ２３は、ガイドレール２１の上下方向に延びる両端部２１ｂを支持している。また、固定式ガイドレールクリップ２３は、ガイドレール２１を上下方向にスライドさせ難いような剛性を有している。すなわち、固定式ガイドレールクリップとの用語は、後述するボルト２４の締め付け力によって生じる押圧力で、ガイドレール２１をレールブラケット２２の側に押圧することができる程度の剛性を有している部材を意味するものとして用いている。このことにより、固定式ガイドレールクリップ２３は、比較的強い力でガイドレール２１をレールブラケット２２の側に押圧している。このようにして、固定式ガイドレールクリップ２３は、ガイドレール２１が上下方向にスライドし難い程度にガイドレール２１を支持している。各固定式ガイドレールクリップ２３は、ボルト２４、ナット２５およびワッシャ２６によりレールブラケット２２に取り付けられている。
【００２３】
ボルト２４は、固定式ガイドレールクリップ２３およびレールブラケット２２を貫通するボルト胴体部２７と、ボルト胴体部２７に連結され、固定式ガイドレールクリップ２３に当接するボルト頭部２８と、を有している。ボルト２４のボルト胴体部２７は、固定式ガイドレールクリップ２３の貫通孔２９と、レールブラケット２２の貫通孔３０とを貫通している。
【００２４】
次に、図４乃至図８Ｃを用いて、本実施の形態によるスライディング式のガイドレール支持構造４０について説明する。
【００２５】
図４乃至図６に示すように、ガイドレール支持構造４０は、昇降路２を画定する昇降路壁１２に固定されたレールブラケット２２と、レールブラケット２２に当接して設けられたブラケットピース４１と、ブラケットピース４１に取り付けられた一対のスライディング式ガイドレールクリップ４２と、を備えている。このうち、レールブラケット２２の前面２２ａは、図２および図３に示すガイドレール支持構造２０と同様に、ガイドレール２１の背面２１ａに当接している。すなわち、エレベータのリニューアル時に、ガイドレール支持構造２０がガイドレール支持構造４０に変更された場合であっても、図２および図３に示すレールブラケット２２が用いられている。
【００２６】
ブラケットピース４１は、ガイドレール２１の背面２１ａに当接している。より具体的には、ブラケットピース４１は、レールブラケット２２の背面２２ｂ（図４においてブラケットピース４１が対向している面）に対向する固定側部４３と、固定側部４３より上方に設けられたガイドレール支持部４４と、を有している。本実施の形態においては固定側部４３の前面４３ａは、レールブラケット２２の背面２２ｂに（直接的に）当接している。ガイドレール支持部４４は、レールブラケット２２よりも上方に配置されており、ガイドレール支持部４４の前面４４ａは、ガイドレール２１の背面２１ａに（直接的に）当接している。
【００２７】
図７（ａ）および図７（ｂ）に示すように、ブラケットピース４１の固定側部４３には、後述するボルト４７が貫通するための貫通孔４５が設けられている。ガイドレール支持部４４には、後述するボルト５５が貫通するための貫通孔４６が設けられている。なお、ガイドレール支持部４４は、固定側部４３と一体で形成されてもよく、別々に形成された後、固定側部４３と結合してもよい。
【００２８】
ブラケットピース４１は、レールブラケット２２にボルト４７、ナット４８およびワッシャ４９により取り付けられている。
【００２９】
ボルト４７は、レールブラケット２２およびブラケットピース４１を貫通するボルト胴体部５０と、ボルト胴体部５０に連結され、レールブラケット２２の前面２２ａに当接するボルト頭部５１と、を有している。図４および図５に示すように、ボルト４７のボルト胴体部５０は、レールブラケット２２の貫通孔３０と、ブラケットピース４１の貫通孔４５とを貫通している（いずれも図８Ａ参照）。なお、ボルト４７は、ブラケットピース４１の背面４３ｂから挿入されて、ボルト頭部５１が、ブラケットピース４１の背面４３ｂに当接していてもよい。
【００３０】
本実施の形態においては、図４乃至図６に示すように、ボルト４７のボルト頭部５１とレールブラケット２２との間には、カラー５２（介在部材）が介在されている。このカラー５２は、ボルト頭部５１がガイドレール２１に当接することを防止している。このことにより、ボルト４７の締め付け力がガイドレール２１に作用することを回避している。また、本実施の形態においては、カラー５２は、貫通孔５３（図８Ａ参照）を有する直方体状に形成されており、カラー５２がガイドレール２１と干渉することを防止している。なお、カラー５２は、ボルト頭部５１がガイドレール２１に当接したり、カラー５２がガイドレール２１と干渉したりすることを防止できれば、任意の形状にすることができ、例えば、円柱形状にしてもよい。
【００３１】
一対のスライディング式ガイドレールクリップ４２は、ガイドレール２１の上下方向に延びる両端部２１ｂを支持している。また、図６に示すように、スライディング式ガイドレールクリップ４２は、屈曲部５４を有する板ばねとして構成されており、例えば、ばね鋼等によって形成されることが好適である。すなわち、スライディング式ガイドレールクリップとの用語は、自身の弾性力でガイドレール２１をブラケットピース４１の側に押圧する部材を意味しているものとして用いている。このことにより、スライディング式ガイドレールクリップ４２は、比較的弱い力でガイドレール２１をブラケットピース４１の側に押圧している。このようにして、ブラケットピース４１との間にガイドレール２１が上下方向にスライド可能に挟持されている。各スライディング式ガイドレールクリップ４２は、ボルト５５、ナット５６およびワッシャ５７によりブラケットピース４１のガイドレール支持部４４に取り付けられている。
【００３２】
図４に示すように、ボルト５５は、スライディング式ガイドレールクリップ４２およびブラケットピース４１を貫通するボルト胴体部５８と、ボルト胴体部５８に連結され、スライディング式ガイドレールクリップ４２の前面４２ａに当接するボルト頭部５９と、を有している。図４乃至図６に示すように、ボルト５５のボルト胴体部５８は、スライディング式ガイドレールクリップ４２の貫通孔６０と、ブラケットピース４１の貫通孔４６（いずれも図８Ｃ参照）とを貫通している。本実施の形態においては、ボルト頭部５９は、直方体状に形成されている。このことにより、スライディング式ガイドレールクリップ４２をブラケットピース４１に取り付ける際に、ボルト頭部５９がスライディング式ガイドレールクリップ４２の屈曲部５４に接触してボルト５５が回転することを防止している。このため、ボルト５５を保持しなくても、ナット５６を回転させることでボルト５５とナット５６とを締め付けることができる。このようなボルト頭部５９の形状により、狭い場所での作業性の向上を図っている。
【００３３】
次に、このような構成からなる本実施の形態における作用について説明する。ここではガイドレール支持構造のリニューアル方法、すなわち、図２および図３に示す固定式のガイドレール支持構造２０から、図４乃至図６に示すスライディング式のガイドレール支持構造４０へ変更する方法について説明する。
【００３４】
まず、図２および図３に示す固定式のガイドレール支持構造２０において、固定式ガイドレールクリップ２３が、レールブラケット２２から取り外される。この場合、ボルト２４、ナット２５およびワッシャ２６が取り外されることで、固定式ガイドレールクリップ２３が取り外される。
【００３５】
次に、図８Ａおよび図８Ｂに示すように、ブラケットピース４１がレールブラケット２２に取り付けられる。この場合、まず、ブラケットピース４１のガイドレール支持部４４が、レールブラケット２２の上方に配置される。より具体的には、ブラケットピース４１がレールブラケット２２の背面２２ｂの側から当てられて、ブラケットピース４１の固定側部４３が、レールブラケット２２の背面２２ｂに当接し、ブラケットピース４１のガイドレール支持部４４が、ガイドレール２１の背面２２ｂに当接する。続いて、ボルト４７のボルト胴体部５０が、レールブラケット２２の貫通孔３０と、ブラケットピース４１の貫通孔４５とを、貫通し、ナット４８により締め付けられる。この際、ボルト頭部５１とレールブラケット２２との間にカラー５２が介在され、ボルト頭部５１が、カラー５２の貫通孔５３を貫通する。
【００３６】
次に、図８Ｃに示すように、スライディング式ガイドレールクリップ４２が、ブラケットピース４１に取り付けられる。この場合、まず、スライディング式ガイドレールクリップ４２が、ブラケットピース４１のガイドレール支持部４４上に配置される。続いて、ボルト５５のボルト胴体部５８がスライディング式ガイドレールクリップ４２の貫通孔６０と、ブラケットピース４１の貫通孔４６とを、貫通し、ナット５６により締め付けられる。この際、スライディング式ガイドレールクリップ４２がガイドレール２１をブラケットピース４１の側に押圧する力は比較的弱いため、ガイドレール２１は、ブラケットピース４１とスライディング式ガイドレールクリップ４２との間に上下方向にスライド可能に挟持される。
【００３７】
このようにして、リニューアル作業が完了し、図４乃至図６に示すガイドレール支持構造４０が得られる。
【００３８】
このように本実施の形態によれば、固定式ガイドレールクリップ２３が取り付けられていたレールブラケット２２に、ブラケットピース４１が取り付けられ、このブラケットピース４１に、スライディング式ガイドレールクリップ４２が取り付けられている。このことにより、固定式のガイドレール支持構造２０において利用されていたレールブラケット２２を有効利用することができ、レールブラケット２２の解体および廃棄を省略することができる。このため、リニューアル時の作業量を軽減することができ、リニューアル作業の効率を向上させることができる。この結果、固定式ガイドレールクリップ２３で直接的に支持されていたガイドレール２１をスライド可能に支持するガイドレール支持構造４０への工事期間を短縮させることができる。また、この場合、工事期間が短くなるため、リニューアル費用を削減することができる。
【００３９】
また、本実施の形態によれば、ガイドレール２１が、ブラケットピース４１とスライディング式ガイドレールクリップ４２との間に上下方向にスライド可能に挟持されている。このことにより、地震等によりレールブラケット２２に対してガイドレール２１が変位するような力が加えられた場合に、ガイドレール２１をレールブラケット２２に対してスライドさせることができる。また、ガイドレール２１が熱膨張若しくは熱収縮した場合においても、ガイドレール２１をレールブラケット２２に対してスライドさせることができる。このため、ガイドレール２１の変形（例えば座屈）や、ガイドレール支持構造４０の破損を抑制することができる。
【００４０】
また、本実施の形態によれば、ブラケットピース４１をレールブラケット２２に取り付けているボルト４７のボルト頭部５１とレールブラケット２２との間には、カラー５２が介在されている。このことにより、ボルト頭部５１と、ガイドレール２１とが干渉することを防止することができる。このため、ボルト４７の締め付け力がレールブラケット２２およびブラケットピース４１に作用し、スライディング式ガイドレールクリップ４２を、ブラケットピース４１を介してレールブラケット２２に確実に支持することができる。
【００４１】
また、本実施の形態によれば、ブラケットピース４１は、レールブラケット２２の背面２２ｂに当接する固定側部４３と、固定側部４３より上方に設けられ、ガイドレール２１の背面２１ｂに当接するガイドレール支持部４４と、を有している。このことにより、ブラケットピース４１をレールブラケット２２の背面２２ｂの側から取り付けることができる。このため、ブラケットピース４１の取り付けが容易になり、リニューアル作業の効率を向上させることができる。
【００４２】
なお、上述した本実施の形態においては、レールブラケット２２の前面２２ａが、ガイドレール２１の背面２１ａに当接しているとともに、ガイドレール支持部４４の前面４４ａが、ガイドレール２１の背面２１ａに当接している例について説明した。しかしながら、このことに限られることはなく、図９および図１０に示すように、レールブラケット２２の前面２２ａ（ガイドレール２１の側の面）およびブラケットピース４１のガイドレール支持部４４の前面４４ａ（ガイドレール２１の側の面）に、滑動部材６１が設けられていてもよい。すなわち、レールブラケット２２の前面２２ａおよびガイドレール支持部４４の前面４４ａが、滑動部材６１を介してガイドレール２１の背面２１ａに当接していてもよい。この場合、レールブラケット２２とガイドレール２１との間、およびブラケットピース４１のガイドレール支持部４４とガイドレール２１との間に滑動部材６１が介在され、レールブラケット２２およびブラケットピース４１に対するガイドレール２１のスライド性を向上させることができる。このため、地震等またはガイドレール２１の熱膨張若しくは熱収縮に起因するガイドレール２１の変形をより効果的に抑制することができる。なお、滑動部材６１の材料は、デュポン社製のテフロン（登録商標）または作新工業株式会社製のニューライト（商品名）を用いることが好適である。
【００４３】
（第２の実施の形態）
次に、図１１および図１２を用いて、本発明の第２の実施の形態におけるガイドレール支持構造およびガイドレール支持構造のリニューアル方法について説明する。
【００４４】
図１１および図１２に示す第２の実施の形態においては、レールブラケットのガイドレールの側の面に、滑動部材が設けられている点が主に異なり、他の構成は、図１乃至図１０に示す第１の実施の形態と略同一である。なお、図１１および図１２において、図１乃至図１０に示す第１の実施の形態と同一部分には同一符号を付して詳細な説明は省略する。
【００４５】
図１１および図１２に示すように、本実施の形態においては、ガイドレール支持構造７０は、レールブラケット２２に取り付けられた一対の固定式ガイドレールクリップ２３と、レールブラケット２２の前面２２ａ（ガイドレール２１の側の面）に設けられた滑動部材７１と、を備えている。このうち、一対の固定式ガイドレールクリップ２３は、ガイドレール２１の上下方向に延びる両端部２１ｂを支持している。各固定式ガイドレールクリップ２３は、ボルト４７、ナット４８およびワッシャ４９によりレールブラケット２２に取り付けられている。
【００４６】
ボルト４７は、固定式ガイドレールクリップ２３およびレールブラケット２２を貫通するボルト胴体部５０と、ボルト胴体部５０に連結され、固定式ガイドレールクリップ４２に当接するボルト頭部５１と、を有している。ボルト４７のボルト胴体部５０は、固定式ガイドレールクリップ２３の貫通孔２９と、レールブラケット２２の貫通孔３０とを貫通している。
【００４７】
滑動部材７１は、レールブラケット２２とガイドレール２１との間、およびレールブラケット２２と固定式ガイドレールクリップ２３との間に介在している。このため、レールブラケット２２に対するガイドレール２１のスライド性を向上させることができる。このようにして、レールブラケット２２との間にガイドレール２１が上下方向にスライド可能に挟持されている。なお、滑動部材７１の材料は、図９および図１０に示す滑動部材６１と同様の材料を用いることが好適である。
【００４８】
次に、本実施の形態によるガイドレール支持構造のリニューアル方法、すなわち、図２および図３に示す固定式のガイドレール支持構造２０から図１１および図１２に示すスライディング式のガイドレール支持構造７０へ変更する方法について説明する。
【００４９】
まず、図２および図３に示すガイドレール支持構造２０において、固定式ガイドレールクリップ２３が、レールブラケット２２から取り外される。このとき、ボルト２４を取り外すことで、固定式ガイドレールクリップ２３が取り外される。
【００５０】
次に、図１１および図１２に示すように、レールブラケット２２の前面２２ａに、滑動部材７１が設けられる。この場合、例えば、レールブラケット２２が建築梁１３（図２参照）から取り外される、あるいは、レールブラケット２２を建築梁１３に取り付けているボルト（図示せず）が緩められて、ガイドレール２１の背面２１ａと、レールブラケット２２の前面２２ａとの間の隙間が大きくされる。続いて、この隙間に、滑動部材７１が挿入される。次に、ガイドレール２１の背面２１ａに、滑動部材７１を介してレールブラケット２２の前面２２ａが当接するように、レールブラケット２２がボルトによって建築梁１３に取り付けられる。その後、ボルト４７のボルト胴体部５０が、固定式ガイドレールクリップ２３の貫通孔２９と、レールブラケット２２の貫通孔３０とを、貫通し、ナット４８により締め付けられる。この際、レールブラケット２２の前面２２ａに滑動部材７１が設けられているため、ガイドレール２１は、ブラケットピース４１と固定式ガイドレールクリップ２３との間に上下方向にスライド可能に挟持される。
【００５１】
このようにして、リニューアル作業が完了し、図１１および図１２に示すガイドレール支持構造７０が得られる。
【００５２】
このように本実施の形態によれば、レールブラケット２２に、固定式ガイドレールクリップ２３が取り付けられるとともに、レールブラケット２２とガイドレール２１との間、およびレールブラケット２２と固定式ガイドレールクリップ２３との間に、滑動部材７１が介在されている。このことにより、固定式のガイドレール支持構造２０において利用されていたレールブラケット２２を有効利用することができ、レールブラケット２２の廃棄を省略することができる。このため、リニューアル時の作業量を軽減することができ、リニューアル作業の効率を向上させることができる。この結果、固定式ガイドレールクリップ２３で直接的に支持されていたガイドレール２１をスライド可能に支持するガイドレール支持構造７０への工事期間を短縮させることができる。
【００５３】
また、本実施の形態によれば、レールブラケット２２の前面２２ａに滑動部材７１が設けられている。このことにより、ガイドレール２１が固定式ガイドレールクリップ２３により支持される場合であっても、地震等によりレールブラケット２２に対してガイドレール２１が変位するような力が加えられた場合に、ガイドレール２１をレールブラケット２２に対してスライドさせることができる。また、ガイドレール２１が熱膨張若しくは熱収縮した場合においても、ガイドレール２１をレールブラケット２２に対してスライドさせることができる。このため、ガイドレール２１の変形（例えば座屈）や、ガイドレール支持構造７０の破損を抑制することができる。
【００５４】
以上述べた実施の形態によれば、固定式ガイドレールクリップで支持されていたガイドレールをスライド可能に支持するガイドレール支持構造への工事期間を短縮させることができる。
【００５５】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００５６】
１：エレベータ、２：昇降路、１２：昇降路壁：、２１：ガイドレール、２１ａ：ガイドレールの背面、２２：レールブラケット、２２ａ：レールブラケットの前面、２２ｂ：レールブラケットの背面、２３：固定式ガイドレールクリップ、４０：ガイドレール支持構造、４１：ブラケットピース、４２：スライディング式ガイドレールクリップ、４３：固定側部、４４：ガイドレール支持部、４４ａ：ガイドレール支持部の前面、４７：ボルト、５０：ボルト胴体部、５１：ボルト頭部、５２：カラー、６１：滑動部材、７０：ガイドレール支持構造、７１：滑動部材
【図１】
2017109852.tif 000003
【図２】
2017109852.tif 000004
【図３】
2017109852.tif 000005
【図４】
2017109852.tif 000006
【図５】
2017109852.tif 000007
【図６】
2017109852.tif 000008
【図７】
2017109852.tif 000009
【図８Ａ】
2017109852.tif 000010
【図８Ｂ】
2017109852.tif 000011
【図８Ｃ】
2017109852.tif 000012
【図９】
2017109852.tif 000013
【図１０】
2017109852.tif 000014
【図１１】
2017109852.tif 000015
【図１２】
2017109852.tif 000016
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
エレベータの昇降路内に上下方向に延びるガイドレールを支持するガイドレール支持構造であって、前記昇降路を画定する昇降路壁に固定されたレールブラケットであって、前記ガイドレールの背面に当接するレールブラケットと、前記レールブラケットに当接して設けられたブラケットピースであって、前記レールブラケットに取り付けられるとともに前記ガイドレールの背面に当接するブラケットピースと、前記ブラケットピースに取り付けられたスライディング式ガイドレールクリップであって、前記ブラケットピースとの間に前記ガイドレールをスライド可能に挟持するスライディング式ガイドレールクリップと、前記ブラケットピースを前記レールブラケットに取り付けたボルトと、を備え、前記ボルトは、前記レールブラケットおよび前記ブラケットピースを貫通するボルト胴体部と、前記ボルト胴体部に連結され、前記レールブラケットの前面に当接するボルト頭部と、を有し、前記ボルトの前記ボルト頭部と前記レールブラケットとの間に、介在部材が介在されていることを特徴とするガイドレール支持構造。
【請求項２】
前記ブラケットピースは、前記レールブラケットの背面に当接する固定側部と、前記固定側部より上方に設けられ、前記ガイドレールの背面に当接するガイドレール支持部と、を有していることを特徴とする請求項１に記載のガイドレール支持構造。
【請求項３】
エレベータの昇降路内に上下方向に延びるガイドレールを支持するガイドレール支持構造であって、前記昇降路を画定する昇降路壁に固定されたレールブラケットであって、前記ガイドレールの背面に当接するレールブラケットと、前記レールブラケットに当接して設けられたブラケットピースであって、前記レールブラケットに取り付けられるとともに前記ガイドレールの背面に当接するブラケットピースと、前記ブラケットピースに取り付けられたスライディング式ガイドレールクリップであって、前記ブラケットピースとの間に前記ガイドレールをスライド可能に挟持するスライディング式ガイドレールクリップと、を備え、前記ブラケットピースは、前記レールブラケットの背面に当接する固定側部と、前記固定側部より上方に設けられ、前記ガイドレールの背面に当接するガイドレール支持部と、を有し、前記固定側部と前記レールブラケットが、前記レールブラケットの背面を貫通する固定側部用ボルトで取り付けられ、前記ガイドレール支持部と前記スライディング式ガイドレールクリップが、支持部用ボルトで取り付けられていることを特徴とするガイドレール支持構造。
【請求項４】
前記レールブラケットの前記ガイドレールの側の面および前記ブラケットピースの前記ガイドレール支持部の前記ガイドレールの側の面に、滑動部材が設けられていることを特徴とする請求項２または３に記載のガイドレール支持構造。
【請求項５】
エレベータの昇降路内に上下方向に延びるガイドレールを支持するガイドレール支持構造のリニューアル方法であって、前記昇降路を画定する昇降路壁に固定されたレールブラケットから、前記ガイドレールを支持していた固定式ガイドレールクリップを取り外す工程と、前記レールブラケットより上方にブラケットピースを配置して前記レールブラケットに取り付けて、前記ガイドレールの背面に当接させる工程と、前記ブラケットピースにスライディング式ガイドレールクリップを取り付けて、前記ブラケットピースと前記スライディング式ガイドレールクリップとの間に前記ガイドレールをスライド可能に挟持させる工程と、を備えたことを特徴とするガイドレール支持構造のリニューアル方法。